(57)【要約】【課題】遊技客に提供する賞品に関して賞品の価値を適切に保ちつつ、遊技店の運用を円滑に行うこと。【解決手段】遊技店の賞品カウンタに設置された賞品管理装置６０は、カードＤ１から持玉を読み取ると、持玉の範囲内で一般賞品及び特殊賞品と賞品交換を行なう。賞品管理装置６０は、特殊賞品との賞品交換に対して所定の価値を差し引くとともに、差引分を含む賞品交換の明細を表示出力及びレシート発行し、遊技客に正確に報知する。【選択図】図１
2016198391.tif 000002
【特許請求の範囲】
【請求項１】
遊技客が遊技にて獲得した遊技媒体を賞品に交換する賞品交換処理を行なう賞品交換システムであって、
一定の価値が定められた第１の賞品と、前記第１の賞品以外の第２の賞品とを区別して管理する賞品管理手段と、
前記遊技客が遊技にて獲得した遊技媒体の数を示す獲得遊技媒体数を特定する獲得遊技媒体数特定手段と、
前記獲得遊技媒体数のうち前記賞品交換処理の対象となる遊技媒体数を第１の遊技媒体数と第２の遊技媒体数に区分する区分手段と、
前記第１の遊技媒体数に対応する価値にて交換可能な前記第１の賞品を特定する第１の賞品特定手段と、
前記第２の遊技媒体数に対応する価値にて交換可能な前記第２の賞品を特定する第２の賞品特定手段と、
前記第１の賞品特定手段にて特定された第１の賞品を有価価値に変換する場合の有価価値である変換有価価値を特定する変換有価価値特定手段と
を備えたことを特徴とする賞品交換システム。
【請求項２】
前記第１の賞品特定手段は、前記第１の遊技媒体数に対応する価値から所定の差引分を差し引いて交換可能な第１の賞品を特定し、
前記変換有価価値特定手段は、前記第１の賞品特定手段にて特定された第１の賞品の価値を前記変換有価価値として特定する
ことを特徴とする請求項１に記載の賞品交換システム。
【請求項３】
前記第１の賞品特定手段により差し引かれた前記差引分を管理し、該差引分の管理状態に基づいて前記賞品交換処理にかかる装置の動作を制限する動作制限手段をさらに備えたことを特徴とする請求項２に記載の賞品交換システム。
【請求項４】
前記第１の賞品特定手段は、前記第１の遊技媒体数に対応する価値と前記第１の賞品の価値とが一致するように前記交換可能な第１の賞品を特定し、
前記変換有価価値特定手段は、前記第１の賞品特定手段にて特定された第１の賞品の価値から所定の差引分を差し引いて前記変換有価価値を特定する
ことを特徴とする請求項１に記載の賞品交換システム。
【請求項５】
少なくとも前記差引分を印字したレシートを発行するレシート発行手段をさらに備えたことを特徴とする請求項２〜４のいずれか一つに記載の賞品交換システム。
【請求項６】
遊技客が遊技にて獲得した遊技媒体を賞品に交換する賞品交換処理を行なう賞品交換装置であって、
一定の価値が定められた第１の賞品と、前記第１の賞品以外の第２の賞品とを区別して管理する賞品管理手段と、
前記遊技客が遊技にて獲得した遊技媒体の数を示す獲得遊技媒体数を特定する獲得遊技媒体数特定手段と、
前記獲得遊技媒体数のうち前記賞品交換処理の対象となる遊技媒体数を第１の遊技媒体数と第２の遊技媒体数に区分する区分手段と、
前記第１の遊技媒体数に対応する価値にて交換可能な前記第１の賞品を特定する第１の賞品特定手段と、
前記第２の遊技媒体数に対応する価値にて交換可能な前記第２の賞品を特定する第２の賞品特定手段と、
前記第１の賞品特定手段にて特定された第１の賞品を有価価値に変換する場合の有価価値である変換有価価値を特定する変換有価価値特定手段と
を備えたことを特徴とする賞品交換装置。
【請求項７】
遊技客が遊技にて獲得した遊技媒体を賞品に交換する賞品交換処理を行なう賞品交換方法であって、
一定の価値が定められた第１の賞品と、前記第１の賞品以外の第２の賞品とを区別して管理する賞品管理ステップと、
前記遊技客が遊技にて獲得した遊技媒体の数を示す獲得遊技媒体数を特定する獲得遊技媒体数特定ステップと、
前記獲得遊技媒体数のうち前記賞品交換処理の対象となる遊技媒体数を第１の遊技媒体数と第２の遊技媒体数に区分する区分ステップと、
前記第１の遊技媒体数に対応する価値にて交換可能な前記第１の賞品を特定する第１の賞品特定ステップと、
前記第２の遊技媒体数に対応する価値にて交換可能な前記第２の賞品を特定する第２の賞品特定ステップと、
前記第１の賞品特定ステップにて特定された第１の賞品を有価価値に変換する場合の有価価値である変換有価価値を特定する変換有価価値特定ステップと
を含むことを特徴とする賞品交換方法。
【発明の詳細な説明】
【技術分野】
【０００１】
この発明は、遊技客が遊技にて獲得した遊技媒体を賞品に交換する賞品交換処理を行なう賞品交換システム、賞品交換装置及び賞品交換方法に関する。
【背景技術】
【０００２】
従来、パチンコ店等の遊技店には、遊技客が獲得した遊技媒体を賞品に交換する賞品カウンタが設けられている。この賞品カウンタには、いわゆるＰＯＳ（Point Of Sales）と呼ばれる賞品管理装置が配設されており、店員はこの賞品管理装置を用いて遊技媒体を賞品に交換する（例えば、特許文献１参照）。
【０００３】
遊技店は、菓子やタバコ等を含む多様な賞品を用意し、遊技客が希望する賞品との交換を行えるようにしている。このため、賞品管理装置では、各賞品に対して交換に必要な遊技媒体数を対応付けて管理することとなる。
【先行技術文献】
【特許文献】
【０００４】
【特許文献１】特開２００９−３８５号公報
【発明の概要】
【発明が解決しようとする課題】
【０００５】
しかしながら、従来の技術では、賞品交換により遊技客に提供される賞品の価値の適切性を保てないおそれがあるという問題点があった。この点について具体的に説明する。賞品は、遊技の結果に応じて遊技客に提供されるものであり、遊技の結果の遊技媒体の数量に対応する金額と等価の物品を提供することが原則とされている。しかしながら、店舗側の賞品の調達形態によっては、賞品の調達コストと賞品の価値が必ずしも整合しない場合がある。一例としては、賞品の流通に関連して手数料や税金が課される場合等が考えられる。このような間接的なコストを全く無視して運用する場合には、遊技店が想定する損益のバランスが大きく崩れてしまうおそれがある。
【０００６】
かかる間接的なコストが生じる場合には、遊技客に対して賞品の情報を提供する場合においても、適切な情報を提供できない可能性がある。
【０００７】
これらのことから、遊技客に提供する賞品に関して賞品の価値を適切に保ちつつ、遊技店の運用をいかに円滑に行うかが重要な課題となっている。
【０００８】
本発明は、上述した従来技術の課題を解決するためのものであって、遊技客に提供する賞品に関して賞品の価値を適切に保ちつつ、遊技店の運用を円滑に行うことのできる賞品交換システム、賞品交換装置及び賞品交換方法を提供することを目的とする。
【課題を解決するための手段】
【０００９】
上述した課題を解決し、目的を達成するため、本発明は、遊技客が遊技にて獲得した遊技媒体を賞品に交換する賞品交換処理を行なう賞品交換システムであって、一定の価値が定められた第１の賞品と、前記第１の賞品以外の第２の賞品とを区別して管理する賞品管理手段と、前記遊技客が遊技にて獲得した遊技媒体の数を示す獲得遊技媒体数を特定する獲得遊技媒体数特定手段と、前記獲得遊技媒体数のうち前記賞品交換処理の対象となる遊技媒体数を第１の遊技媒体数と第２の遊技媒体数に区分する区分手段と、前記第１の遊技媒体数に対応する価値にて交換可能な前記第１の賞品を特定する第１の賞品特定手段と、前記第２の遊技媒体数に対応する価値にて交換可能な前記第２の賞品を特定する第２の賞品特定手段と、前記第１の賞品特定手段にて特定された第１の賞品を有価価値に変換する場合の有価価値である変換有価価値を特定する変換有価価値特定手段とを備えたことを特徴とする。
【００１０】
また、本発明は、上記発明において、前記第１の賞品特定手段は、前記第１の遊技媒体数に対応する価値から所定の差引分を差し引いて前記交換可能な第１の賞品を特定し、前記変換有価価値特定手段は、前記第１の賞品特定手段にて特定された第１の賞品の価値を前記変換有価価値として特定することを特徴とする。
【００１１】
また、本発明は、上記発明において、前記第１の賞品特定手段により差し引かれた前記差引分を管理し、該差引分の管理状態に基づいて前記賞品交換処理にかかる装置の動作を制限する動作制限手段をさらに備えたことを特徴とする。
【００１２】
また、本発明は、上記発明において、前記第１の賞品特定手段は、前記第１の遊技媒体数に対応する価値と前記第１の賞品の価値とが一致するように前記交換可能な第１の賞品を特定し、前記変換有価価値特定手段は、前記第１の賞品特定手段にて特定された第１の賞品の価値から所定の差引分を差し引いて前記変換有価価値を特定することを特徴とする。
【００１３】
また、本発明は、上記発明において、少なくとも前記差引分を印字したレシートを発行するレシート発行手段をさらに備えたことを特徴とする。
【００１４】
また、本発明は、遊技客が遊技にて獲得した遊技媒体を賞品に交換する賞品交換処理を行なう賞品交換装置であって、一定の価値が定められた第１の賞品と、前記第１の賞品以外の第２の賞品とを区別して管理する賞品管理手段と、前記遊技客が遊技にて獲得した遊技媒体の数を示す獲得遊技媒体数を特定する獲得遊技媒体数特定手段と、前記獲得遊技媒体数のうち前記賞品交換処理の対象となる遊技媒体数を第１の遊技媒体数と第２の遊技媒体数に区分する区分手段と、前記第１の遊技媒体数に対応する価値にて交換可能な前記第１の賞品を特定する第１の賞品特定手段と、前記第２の遊技媒体数に対応する価値にて交換可能な前記第２の賞品を特定する第２の賞品特定手段と、前記第１の賞品特定手段にて特定された第１の賞品を有価価値に変換する場合の有価価値である変換有価価値を特定する変換有価価値特定手段とを備えたことを特徴とする。
【００１５】
また、本発明は、遊技客が遊技にて獲得した遊技媒体を賞品に交換する賞品交換処理を行なう賞品交換方法であって、一定の価値が定められた第１の賞品と、前記第１の賞品以外の第２の賞品とを区別して管理する賞品管理ステップと、前記遊技客が遊技にて獲得した遊技媒体の数を示す獲得遊技媒体数を特定する獲得遊技媒体数特定ステップと、前記獲得遊技媒体数のうち前記賞品交換処理の対象となる遊技媒体数を第１の遊技媒体数と第２の遊技媒体数に区分する区分ステップと、前記第１の遊技媒体数に対応する価値にて交換可能な前記第１の賞品を特定する第１の賞品特定ステップと、前記第２の遊技媒体数に対応する価値にて交換可能な前記第２の賞品を特定する第２の賞品特定ステップと、前記第１の賞品特定手段にて特定された第１の賞品を有価価値に変換する場合の有価価値である変換有価価値を特定する変換有価価値特定ステップとを含むことを特徴とする。
【発明の効果】
【００１６】
本発明によれば、一定の価値が定められた第１の賞品と、第１の賞品以外の第２の賞品とを区別して管理し、遊技客が遊技にて獲得した遊技媒体の数のうち賞品交換処理の対象となる遊技媒体数を第１の遊技媒体数と第２の遊技媒体数に区分し、第１の遊技媒体数に対応する価値にて交換可能な第１の賞品と、第２の遊技媒体数に対応する価値にて交換可能な第２の賞品とを特定するとともに、特定された第１の賞品を有価価値に変換する場合の有価価値である変換有価価値を特定するので、賞品交換に関係する賞品の価値を把握して適切に管理することができる。
【図面の簡単な説明】
【００１７】
【図１】図１は、実施例１に係る賞品交換についての説明図である。
【図２】図２は、遊技店のシステム構成を示す図である。
【図３】図３は、図２に示した賞品管理装置の外観構成を示す図である。
【図４】図４は、賞品管理装置の機能構成を示すブロック図である。
【図５】図５は、図４に示した賞品マスタ、徴収設定データ及び徴収対象賞品交換履歴データについて説明するための説明図である。
【図６】図６は、賞品管理装置の処理の具体例の説明図である。
【図７】図７は、金額ベースで賞品交換を行なう場合の処理の具体例の説明図である。
【図８】図８は、賞品管理装置の処理手順を示すフローチャートである。
【図９】図９は、徴収管理センタについて説明する説明図である。
【図１０】図１０は、図９に示した賞品読取装置の機能構成を示すブロック図である。
【図１１】図１１は、実施例２に係る賞品交換についての説明図である。
【図１２】図１２は、図１１に示した賞品管理装置の機能構成を示すブロック図である。
【図１３】図１３は、実施例２に係る賞品読取装置の機能構成を示すブロック図である。
【発明を実施するための形態】
【００１８】
以下に、添付図面を参照して、本発明に係る賞品交換システム、賞品交換装置及び賞品交換方法の好適な実施例を詳細に説明する。
【００１９】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客および会員遊技客の双方が使用可能であり、遊技機を移動した場合などに使用する。貯玉は通常、会員遊技客のみが使用可能であり、獲得した遊技媒体を翌日以降の遊技に用いる場合に使用する。
【実施例１】
【００２０】
図１は、実施例１に係る賞品交換についての説明図である。遊技店には複数の遊技機が設置されており、遊技機による遊技で獲得された遊技媒体の数は、持玉としてカードに関連付けることができる。図１に示したカードＤ１には、１７５０玉の持玉が関連付けられている。なお、遊技媒体は、その形状や貸出単価（レート）ごとに区別して扱われる。図１では、１玉４円で貸し出される遊技玉を遊技媒体として用いた場合を示している。
【００２１】
遊技店の賞品カウンタには、賞品管理装置６０及び賞品払出装置７０が設置されている。賞品管理装置６０は、カードＤ１から持玉を読み取ると、持玉の範囲内で賞品交換を行なう。カードＤ１に関連付けられた持玉は１７５０玉であり、レートは４円であるので、賞品管理装置６０は持玉の価値を７０００円相当と換算し、７０００円の範囲内で賞品交換を行なうことになる。
【００２２】
ここで、賞品には、特殊賞品と一般賞品とがあり、賞品管理装置６０は、特殊賞品と一般賞品とを区別して管理している。特殊賞品は、一定の価値に対応付けられており、当該価値で譲渡可能な賞品である。一般賞品は、特殊賞品以外の賞品であり、菓子やタバコ、日用品などを含む。
【００２３】
賞品管理装置６０は、特殊賞品との賞品交換にあたって手数料や税金を徴収することができる。図１では、特殊賞品の価値の１０％をパチンコ税として徴収する場合を示している。
【００２４】
具体的には、図１に示した例では、７０００円相当の持玉のうち、６０００円分を特殊賞品との交換に用い、６００円をパチンコ税として差し引き、残りの４００円相当を菓子などの一般賞品との交換に用いている。
【００２５】
賞品管理装置６０は、特殊賞品について賞品払出装置７０に払出を指示することで、特殊賞品の払出を行なわせる。このため、遊技客は、６０００円相当の特殊賞品と４００円分の一般賞品とを賞品カウンタで受け取ることができる。
【００２６】
さらに、賞品管理装置６０は、持玉から減算した価値について、一般賞品との交換分、特殊賞品との交換分、パチンコ税としての差引分を示す明細を表示出力するとともに、この明細を印字したレシートを発行する。
【００２７】
このように、実施例１に係る賞品管理装置６０は、特殊賞品との賞品交換に対して所定の価値を差し引くとともに、賞品交換の明細を表示出力及びレシート発行により遊技客に正確に報知することができる。
【００２８】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、賞品管理装置６０と、精算機８０とが接続される。また、賞品管理装置６０は、遊技店外のネットワークを介して徴収管理センタＦ１と接続される。
【００２９】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技盤面には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３０】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機２０の制御部は、入賞領域ごとに何個の遊技玉を賞玉として付与するかを記憶する賞玉メモリを有している。
【００３１】
遊技玉の入賞領域の通過が入賞センサにより検知されると、遊技機２０は、賞玉メモリの記憶内容と、入賞領域を通過した遊技玉数から付与すべき賞玉数を決定し、決定した賞玉数の遊技玉を払い出す。払い出された遊技玉は、遊技に再度使用できる他、台間カード処理機１０に計数させて持玉とすることができる。また、台間カード処理機１０から玉貸操作等による遊技可能数加算の通知を受けた場合には、遊技機２０は、通知された玉数を払い出す。
【００３２】
台間カード処理機１０は、入金の受け付け、遊技玉の貸し出し、カード管理装置４０との通信、並びに遊技機２０との通信を行う。台間カード処理機１０は、遊技客が投入した紙幣を受け付けたならば、入金額を含む入金通知をカード管理装置４０に送信することで、入金額相当のプリペイド価値をカード管理装置４０が管理するプリペイド価値に加算させる。そして、所定の玉貸操作がなされたならば、玉貸要求をカード管理装置４０に送信し、カード管理装置４０が管理するプリペイド価値を減算させて、減算したプリペイド価値分に対応する数を遊技機２０に通知して遊技玉を払い出させる。
【００３３】
台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。
【００３４】
台間カード処理機１０は、持玉再プレイ操作を受け付けると、自装置が管理する持玉数を所定数減算し、減算した持玉数に対応する数を遊技機２０に通知し、遊技玉を払い出させる。また、台間カード処理機１０は、貯玉再プレイ操作を受け付けると、カード管理装置４０に対して貯玉再プレイ要求を送信することで、会員管理装置５０が管理する貯玉数を所定数減算させ、減算させた貯玉数に対応する数を遊技機２０に通知し、遊技玉を払い出させる。
【００３５】
台間カード処理機１０は、カード返却操作を受け付けたならば、持玉数を含む持玉加算要求をカード管理装置４０に送信し、カード管理装置４０に持玉を加算させた後、カード排出通知をカード管理装置４０に送信し、カードを排出制御する。また、台間カード処理機１０は、計数操作を受け付けたならば、遊技機２０の受け皿に貯留された遊技玉を計数し、持玉に加算させる。
【００３６】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００３７】
カード管理装置４０は、台間カード処理機１０からカード挿入通知を受信したならば、挿入されたカードのＩＤと台間カード処理機１０とを関連づけて管理し、該カードＩＤに関連づけられたプリペイド価値及び持玉の残高を台間カード処理機１０に送信する。また、カード挿入通知に示されたカードＩＤが会員カードのカードＩＤである場合には、カード挿入通知を会員管理装置５０に送信し、会員管理装置５０から受信した貯玉再プレイデータを台間カード処理機１０に送信する。
【００３８】
また、カード管理装置４０は、台間カード処理機１０から持玉減算要求を受信した場合には、持玉の残高をゼロにクリアし、台間カード処理機１０から持玉加算要求を受信した場合には、持玉加算要求に示された持玉の数を持玉の残高に加算する。
【００３９】
また、カード管理装置４０は、台間カード処理機１０から玉貸要求を受信した場合には、カードＩＤに関連付けられたプリペイド価値を所定値減算し、玉貸許可を台間カード処理機１０に送信する。そして、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００４０】
また、カード管理装置４０は、賞品管理装置６０からカードＩＤを受信したならば、このカードＩＤに関連付けられた持玉数を賞品管理装置６０に対して通知する。さらに、精算機８０からカードＩＤを受信したならば、このカードＩＤに関連付けられたプリペイド価値を精算機８０に対して通知する。
【００４１】
会員管理装置５０は、遊技店に会員登録された会員の会員管理データを管理する管理装置である。具体的には、会員に対して発行した会員カードＩＤに関連づけて、貯玉数、ポイント、暗証番号及び氏名等を管理する。
【００４２】
会員管理装置５０は、台間カード処理機１０からカード挿入通知を受信したならば、カード挿入通知に示されたカードＩＤに対応する貯玉の残高と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連づけられた貯玉の残高を所定数減算し、減算後の貯玉の残高を含む貯玉再プレイデータを台間カード処理機１０に送信する。なお、台間カード処理機１０と会員管理装置５０との通信は、カード管理装置４０を介して行なわれる。
【００４３】
また、会員管理装置５０は、賞品管理装置６０から貯玉数の問い合わせを受けたならば、指定されたカードＩＤに対応する貯玉の残高を賞品管理装置６０に通知する。
【００４４】
賞品管理装置６０は、遊技店内の賞品交換カウンタに併設された賞品交換用の端末装置であり獲得玉、貯玉及び持玉の賞品交換処理を行う。獲得玉は、持玉と同様に遊技客が獲得した遊技玉数を示す。具体的には、島端などに設置された計数機により遊技玉を計数した場合に、計数結果がレシートに印字され、この計数結果が獲得玉として用いられる。
【００４５】
賞品管理装置６０には、カードのカードＩＤを読み取るカードリーダが接続されている。賞品管理装置６０は、一般カードあるいは会員カードからカードＩＤを読み出した場合（若しくは、携帯端末等からカードＩＤに対応する識別情報を読み出した場合）には、カードＩＤをカード管理装置４０に送信して、該カードＩＤの持玉の残高を要求する。また、貯玉を賞品交換する場合は、会員管理装置５０に対して貯玉の残高を要求する。
【００４６】
賞品管理装置６０は、賞品交換時の差引分を徴収履歴として管理する。賞品管理装置６０は、徴収履歴を徴収管理センタＦ１に適宜送信する。徴収管理センタＦ１は、複数の遊技店における徴収の状況を統合管理する装置である。徴収管理センタＦ１は、遊技店毎や系列店毎に徴収の状況を集計し、遊技店に提供することができる。また、賞品管理装置６０は、徴収管理センタＦ１との通信が適切に行なわれていることを自装置の動作の条件とする。
【００４７】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４８】
図２に示したシステムで玉貸を行う場合の玉貸処理について説明する。遊技客が台間カード処理機１０に対して玉貸操作を行うと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、玉貸要求とを含む。
【００４９】
カード管理装置４０は、玉貸要求を含む電文を受信すると、該電文内のカードＩＤに関連付けられたプリペイド価値を所定値（例えば、１００円＝１００度数の場合に５００度数）減算してカード管理データを更新し、玉貸許可を送信元の台間カード処理機１０に送信する。玉貸許可を受信した台間カード処理機１０は、減算したプリペイド価値に対応する数（例えば１２５）の払出を要求する信号を遊技機２０に送信する。遊技機２０は、台間カード処理機１０からの信号に基づいて遊技玉を払い出す。
【００５０】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、カード挿入通知とを含む。
【００５１】
カード管理装置４０は、台間カード処理機１０からカード挿入通知を受信した場合には、該電文内のカードＩＤに関連付けられた持玉のうち、該電文により特定されたレートの持玉の残高を台間カード処理機１０に通知する。
【００５２】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤ及びレートにより特定される持玉の残高をゼロにクリアする。また、台間カード処理機１０は、持玉再プレイ操作を受付けると、持玉の残高を一定数ずつ減算し、対応する数を遊技機２０に通知して遊技玉を払い出させる。
【００５３】
台間カード処理機１０は、計数操作を受け付けたならば、遊技機２０の受け皿に貯留した遊技玉を計数し、持玉に加算する。また、カード返却操作を受け付けたならば、カード管理装置４０に対して持玉加算要求を含む電文を送信する。この電文は、排出するカードのカードＩＤと、送信元である台間カード処理機１０を特定するアドレス若しくは任意の識別情報と、台間カード処理機１０のレートを特定するための情報と、持玉の残高と、持玉加算要求とを含む。
【００５４】
カード管理装置４０は、持玉加算要求を受け付けた場合には、該電文内のカードＩＤに関連付けられた持玉のうち、該電文により特定されたレートの持玉の残高を受信した値に更新する。
【００５５】
その後、台間カード処理機１０は、カード管理装置４０にカード排出通知を送信し、カードを排出制御する。
【００５６】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するアドレス若しくは任意の識別情報と、台間カード処理機１０のレートを特定するための情報と、カード挿入通知とを含む。
【００５７】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉のうち、該電文により特定されたレートの貯玉の残高とを含む貯玉再プレイデータを台間カード処理機１０に送信する。
【００５８】
台間カード処理機１０は、受信した貯玉再プレイデータを記憶し、貯玉再プレイデータに示された貯玉の残高が貯玉再プレイにおける遊技玉の払出単位数（貯玉再プレイ単位数。例えば１２５玉）以上である場合には貯玉再プレイ操作を受け付け可能とする。
【００５９】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００６０】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、貯玉再プレイ要求とを含む。
【００６１】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉のうち、該電文により特定されたレートの貯玉の残高を所定値減算し、減算後の残高を含む貯玉再プレイデータを台間カード処理機１０に送信する。
【００６２】
台間カード処理機１０は、貯玉再プレイデータを受信して貯玉の残高を更新し、貯玉再プレイ単位数に対応する数を遊技機２０に通知して遊技玉を払い出させる。また、更新後の貯玉の残高が貯玉再プレイ単位数未満となったかを判定する。更新後の貯玉データの残高が貯玉再プレイ単位数以上であれば、再度貯玉再プレイ操作を受け付け可能であり、貯玉再プレイ操作を受け付けた場合には貯玉再プレイ要求を送信する。２回目以降の貯玉再プレイ操作では、暗証番号の確認は不要である。更新後の貯玉データの残高が貯玉再プレイ単位数未満となったならば、貯玉再プレイ操作を受け付け不能とする。
【００６３】
次に、閉店処理における持玉からの貯玉への移行について説明する。カード管理装置４０は、閉店処理時にカード管理データの持玉の残高を確認し、持玉の残高が「０」より大きい持玉が存在する場合には、該持玉の残高をカードＩＤ及びレートとともに会員管理装置５０に通知する。会員管理装置５０は、カードＩＤ及びレートにより特定される貯玉の残高に通知された持玉の残高を加算して更新する。その後、カード管理装置４０は、該持玉の残高をゼロにクリアする。
【００６４】
次に、図２に示した賞品管理装置６０の外観構成について説明する。図３は、図２に示した賞品管理装置６０の外観構成を示す図である。図３に示すように、賞品管理装置６０は、遊技店員用の筐体と遊技客用の筐体とを通信線により接続した構成を有する。遊技店員用の筐体には、店側表示部６１、操作部６２、レシート発行部６３、カードリーダ６７ａ及び店員タグリーダ６７ｂが設けられている。遊技客用の筐体には客側表示部６４及び携帯端末リーダ６７ｃが設けられている。
【００６５】
遊技店員は、遊技客が提示したカードをカードリーダ６７ａにかざすことにより、該カードからカードＩＤを読み取らせ、カードＩＤに対応付けられた持玉及び貯玉の残高を特定する。このように特定した残高は、特殊賞品や一般賞品との交換に使用される。遊技店員は、自身の店員タグを店員タグリーダ６７ｂにかざすことにより、権限の認証を受けることができる。
【００６６】
店側表示部６１は、操作者である遊技店員用の表示部兼操作部であり、タッチパネルカラー液晶ディスプレイ等からなる。この店側表示部６１には、賞品交換内容や操作ガイダンスなどが表示される。操作部６２は、テンキー、専用キー及びモードキー等の複数のキーからなり、賞品交換操作入力などを行う際に使用される。
【００６７】
レシート発行部６３は、登録リストや集計リスト等の各種レシートを発行処理する発行部であり、感熱式プリンタ等からなる。
【００６８】
遊技客用の筐体に設けられた客側表示部６４は、蛍光表示管やタッチパネルカラー液晶ディスプレイ等からなる。遊技客は、この客側表示部６４の表示内容を確認することにより、カードに対応付けられる持玉や貯玉の残高を確認することができる。さらに、客側表示部６４は、上位の装置（例えばカード管理装置４０）からイベント情報などを設定データとして通知された場合には、該イベント情報を表示することができる。また、客側表示部６４は、貯玉を使用する際の暗証番号の入力にも使用される。携帯端末リーダ６７ｃは、会員カードとして使用可能な携帯端末がかざされた場合に、該携帯端末からカードＩＤに対応する情報を読み取る。このカードＩＤに対応する情報により、持玉数及び貯玉数が特定される。
【００６９】
次に、賞品管理装置６０の機能構成について説明する。図４は、賞品管理装置６０の機能構成を示すブロック図である。同図に示すように、この賞品管理装置６０は、通信回線に接続されている。賞品管理装置６０は、すでに説明した店側表示部６１、操作部６２、レシート発行部６３、客側表示部６４、カードリーダ６７ａ、店員タグリーダ６７ｂ及び携帯端末リーダ６７ｃと、記憶部６５と、制御部６６と、通信部６８ａと賞品払出装置接続部６８ｂとを有する。通信部６８ａは、賞品管理装置６０が通信回線を経由して上位の装置と通信するためのインタフェース部である。賞品払出装置接続部６８ｂは、賞品払出装置に特殊賞品の払出指示を送信するためのインタフェース部である。また、図示していないが、後述する個人特定用媒体読取部も備えられている。個人特定用媒体読取部は、別体装置として接続されていてもよいし、携帯端末リーダ６７ｃがこの機能を兼ね備えていてもよい。
【００７０】
記憶部６５は、ハードディスク装置や不揮発性メモリ等の記憶デバイスであり、賞品マスタ６５ａ、徴収設定データ６５ｂ及び徴収対象賞品交換履歴データ６５ｃを記憶する。賞品マスタ６５ａは、遊技玉を賞品に交換する際に使用するデータであり、会員管理装置５０から受信して記憶したデータである。徴収設定データ６５ｂは、賞品交換に関係して手数料や税金などを差し引いて徴収する場合に、徴収する金額についての設定を示すデータである。徴収対象賞品交換履歴データ６５ｃは、徴収の対象となる賞品との交換の履歴を示すデータである。
【００７１】
制御部６６は、賞品管理装置６０を全体制御する制御部であり、賞品管理部６６ａ、賞品交換処理部６６ｂ、動作管理部６６ｃ、徴収分算出部６６ｄ及び払出指示部６６ｅを有する。実際には、これらの機能部に対応するプログラムを図示しないＲＯＭ等の不揮発性メモリに記憶しておき、これらのプログラムをＣＰＵ（Central Processing Unit）にロードして実行することにより、賞品管理部６６ａ、賞品交換処理部６６ｂ、動作管理部６６ｃ、徴収分算出部６６ｄ及び払出指示部６６ｅにそれぞれ対応するプロセスを実行させることになる。
【００７２】
賞品管理部６６ａは、記憶部６５に記憶した賞品マスタ６５ａを用いて賞品管理装置６０の取扱対象となる賞品の交換玉数等を管理する管理部である。賞品管理部６６ａは、会員管理装置５０から賞品マスタを取得し、記憶部６５に賞品マスタ６５ａとして格納する。
【００７３】
賞品交換処理部６６ｂは、カードリーダ６７ａ又は携帯端末リーダ６７ｃにより読み取ったカードＩＤをカード管理装置４０に送信し、カードＩＤに関連付けられた持玉及び貯玉の残高を取得する。賞品交換処理部６６ｂは、持玉及び貯玉の残高の範囲内で、賞品マスタ６５ａに基づいて特殊賞品及び一般賞品の賞品交換処理を行なう。
【００７４】
具体的には、賞品交換処理部６６ｂは、特殊賞品の交換処理を指定された場合には、持玉及び貯玉の残高の範囲内で交換可能な特殊賞品の種類及び数の組み合わせを求め、交換に必要な玉数を持玉及び貯玉の残高より減算する。また、賞品交換処理部６６ｂは、特殊賞品以外の一般賞品の交換処理を行う場合には、操作部６２の操作により指定された賞品を交換賞品として、交換に必要な玉数を持玉及び貯玉の残高より減算する。
【００７５】
賞品交換処理部６６ｂは、特殊賞品など、所定の賞品との賞品交換を行なう場合に、徴収分算出部６６ｄにより徴収分を算出させ、徴収分を差し引いて賞品交換を行なう。徴収の対象となる賞品は、賞品マスタ６５ａにて管理されている。本実施例では、特殊賞品を全て徴収対象とし、一般賞品は全て賞品対象としない場合を例に説明を行なうが、徴収の対象とするか否かは賞品ごとに設定可能である。
【００７６】
賞品交換処理部６６ｂは、一般賞品との交換、特殊賞品との交換、パチンコ税等の徴収について、その明細を表示出力するとともに、明細を印字したレシートを発行する。明細の表示出力は、店側表示部６１及び客側表示部６４を用いて行なうことができる。また、明細の印字は、レシート発行部６３により行なうことができる。
【００７７】
動作管理部６６ｃは、徴収対象となる賞品を含む賞品交換が賞品交換処理部６６ｂにより行なわれた場合に、徴収対象賞品交換履歴データ６５ｃを更新する。動作管理部６６ｃは、徴収対象賞品交換履歴データ６５ｃを徴収管理センタＦ１に送信することができる。この徴収対象賞品交換履歴データ６５ｃを徴収管理センタＦ１が受信し、徴収管理センタＦ１での処理が完了するまでは、徴収対象賞品交換履歴データ６５ｃは消去できない。
【００７８】
また、動作管理部６６ｃは、徴収管理センタＦ１との通信が正常に行なわれているかを監視し、徴収管理センタＦ１との通信が正常であることを条件に賞品管理装置６０の動作を許可する。徴収管理センタＦ１との通信に障害が発生したならば、動作管理部６６ｃは、予め設定した猶予期間に限り動作を許可し、その後、賞品管理装置６０の動作を禁止する。猶予期間における徴収対象賞品交換履歴データ６５ｃは、徴収管理センタＦ１との通信が復旧し、徴収管理センタＦ１が猶予期間における徴収対象賞品交換履歴データ６５ｃの処理を完了するまで消去することができない。
【００７９】
徴収分算出部６６ｄは、賞品交換時に差し引いて徴収する徴収分の金額を算出する処理部である。徴収分は、固定値であってもよいし、徴収対象となる賞品の価値に応じて算出してもよい。その他、任意の算出方式により徴収分を算出することができる。また、徴収分としては、税金や手数料など、任意の項目を設定可能であり、複数の項目を組み合わせてもよい。
【００８０】
払出指示部６６ｅは、賞品交換処理部６６ｂにより特定された特殊賞品の組み合わせについて、賞品払出装置７０に払出指示を送信することで、特殊賞品の払い出しを行なわせる。
【００８１】
個人特定媒体読取部は、「道路交通法」第九十二条に定められた運転免許証、「行政手続における特定の個人を識別するための番号の利用等に関する法律」第十七条１項に定められた個人番号カード等の内蔵するＩＣチップの記憶情報から証明事項の一部または全部が読取り可能な媒体からＩＣチップの情報を読み出す機能を備えている。
【００８２】
次に、図４に示した記憶部６５が記憶するデータの具体例について説明する。図５は、図４に示した賞品マスタ６５ａ、徴収設定データ６５ｂ及び徴収対象賞品交換履歴データ６５ｃについて説明するための説明図である。
【００８３】
図５（ａ）に示す賞品マスタ６５ａは、賞品を一意に識別する賞品コードに対し、賞品名、群コード、徴収フラグ、賞品価値及び交換玉数を関連付けたデータである。ここで、群コードは賞品を分類して管理する為の識別情報である。群コード「０１」は、一定の手続きを経て所定の価値で譲渡可能な特殊賞品を示す。群コード「０２」以降は、特殊賞品以外の日用品などを含む一般賞品である。徴収フラグは「ＯＮ」と「ＯＦＦ」のいずれかの値をとる。徴収フラグ「ＯＮ」は、徴収の対象となる賞品であることを示し、徴収フラグ「ＯＦＦ」は徴収の対象とならない賞品であることを示す。
【００８４】
賞品マスタ６５ａは、賞品コード「０００１」に対し、賞品名「大賞品」、群コード「０１」、徴収フラグ「ＯＮ」、賞品価値「５０００」、玉１の交換玉数「１２５０」、玉２の交換玉数「２５００」並びに玉３の交換玉数「５０００」を関連付けている。
【００８５】
また、賞品マスタ６５ａは、賞品コード「０００２」に対し、賞品名「中賞品」、群コード「０１」、徴収フラグ「ＯＮ」、賞品価値「１０００」、玉１の交換玉数「２５０」、玉２の交換玉数「５００」並びに玉３の交換玉数「１０００」を関連付けている。
【００８６】
また、賞品マスタ６５ａは、賞品コード「０００３」に対し、賞品名「小賞品」、群コード「０１」、徴収フラグ「ＯＮ」、賞品価値「５００」、玉１の交換玉数「１２５」、玉２の交換玉数「２５０」並びに玉３の交換玉数「５００」を関連付けている。
【００８７】
また、賞品マスタ６５ａは、賞品コード「０１００」に対し、賞品名「Ｍセブン」、群コード「０２」、徴収フラグ「ＯＦＦ」、賞品価値「４００」、玉１の交換玉数「１００」、玉２の交換玉数「２００」並びに玉３の交換玉数「４００」を関連付けている。
【００８８】
また、賞品マスタ６５ａは、賞品コード「０１０１」に対し、賞品名「ラック」、群コード「０２」、徴収フラグ「ＯＦＦ」、賞品価値「４２０」、玉１の交換玉数「１０５」、玉２の交換玉数「２１０」並びに玉３の交換玉数「４２０」を関連付けている。
【００８９】
また、賞品マスタ６５ａは、賞品コード「０６００」に対し、賞品名「端玉  飴」、群コード「０４」、徴収フラグ「ＯＦＦ」、賞品価値「１２」、玉１の交換玉数「３」、玉２の交換玉数「６」並びに玉３の交換玉数「１２」を関連付けている。
【００９０】
図５（ｂ）に示す徴収設定データ６５ｂは、賞品交換に関係して手数料や税金などを差し引いて徴収する場合の徴収金額についての設定を示している。具体的には、徴収設定データ６５ｂは、対象となる賞品の交換時にパチンコ税として１０％を差し引くことと、手数料の徴収は行なわないことを示している。
【００９１】
図５（ｃ）に示す徴収対象賞品交換履歴データ６５ｃは、処理連番、日時、カードＩＤ、実行装置ＩＤ及び徴収対象額を対応付けたデータである。ここで、処理連番は、賞品交換処理を一意に特定する識別情報として用いられる。また、実行装置ＩＤは、徴収フラグ「ＯＮ」の賞品を含む賞品交換を行なった賞品管理装置６０を特定する識別情報である。そして、徴収対象額は、徴収フラグ「ＯＮ」の賞品の賞品価値の合計である。
【００９２】
６５ｃは、処理連番「００２２」の賞品交換処理が日時「２０１５／０２／１１  １４：００」に行なわれ、カードＩＤ「２００２」、実行装置ＩＤ「２３１」、徴収対象額「６０００円」であったことを示している。
【００９３】
この徴収対象賞品交換履歴データ６５ｃは、適宜上位装置に送信される。上位装置は、例えば会員管理装置５０やカード管理装置４０であってもよいし、他の装置を上位装置として用いてもよい。上位装置は、遊技店内の賞品管理装置６０から徴収対象賞品交換履歴データ６５ｃを収集し、遊技店全体での換金履歴を集計する。
【００９４】
上位装置は、徴収対象賞品交換履歴の集計結果に基づいて、遊技店が支払うパチンコ税の算定や管理を行なう。この場合、個々の賞品の売上額の総計、個々の賞品の売上額から賞品の原資を引いた粗利額、個々の賞品の賞品交換による利益額、遊技店内に設置された遊技機の台数、遊技機の利用状況（例えば遊技盤面に打ち込まれた玉数であるアウト玉数の合計や、アウト玉数から賞玉数を引いた差玉数の合計）に応じて、遊技店が支払うパチンコ税を算定することとしてもよい。上位装置による算定結果は、上位装置による表示や印字、また、他の装置からの閲覧などが可能である。
【００９５】
次に、賞品管理装置６０の処理の具体例について説明する。賞品管理装置６０は、特殊賞品を含んだ交換処理と、特殊賞品を含まず、一般賞品のみを対象とする交換処理を行うことができるようになっている。図６は、賞品管理装置６０の処理の具体例の説明図である。図６（ａ）は、店側表示部６１等に表示する画面例であり、４円レートの遊技種である玉１の持玉をカード等から読取り、その玉数が１７５０玉である状態を示している。なお、賞品管理装置６０は、レシート／カードから玉数を読取り、交換処理に用いることができる。レシートによる玉数の読取りは、賞品管理装置６０に接続された、図示しないバーコードスキャナによって、計数機で発行されたレシートのバーコードを読取ることによって行われる。カードによる玉数の読取りは、カードリーダ６７ａにカード（一般カード、会員カード）を近接させることによって行われる。カードリーダ６７ａで読取ったカードが一般カードであるときは、持玉が交換対象の遊技媒体として特定され、会員カードであるときは、持玉、貯玉、およびその両方を交換対象の遊技媒体として特定することができる。具体的には、会員カードが読取られたときには、会員を認証するための暗証番号の入力が求められ、各レートの持玉および貯玉の残高が表示される。そして、交換対象とするレートが選択されると、交換対象として貯玉および持玉の合計値の玉数が設定され、所定の操作によって交換対象を持玉のみ、貯玉のみとすることができる。また、会員カードに追加して、レシートあるいは一般カードを読み込むことができる。この場合には、読み込んだ媒体にて特定される玉数のうち、選択されたレートの玉数のみが交換対象の玉数に加算される。なお、暗証番号の入力は、他のタイミング（例えば賞品の選択前）にも行うことができる。一方、カードリーダ６７ａで読取ったカードが一般カードである場合には、暗証番号の入力は求められず、交換対象とする持玉レートの選択操作のみが行われる。交換対象の玉数が特定されると、図６（ａ）に示す状態になる。このとき、個人特定媒体読取部にて媒体から情報が取得された場合には、特殊賞品を交換対象として指定することができるようになるとともに、後述する「特殊」キーの入力が有効となる。一方で、個人特定媒体読取部にて情報が取得されない場合には、特殊賞品を交換対象として指定することができず、一般賞品のみの指定が可能となる。なお、会員登録時に個人情報の取得が前提とされている場合には、会員カードから会員ＩＤを特定したことを契機として特殊賞品を交換対象として指定することができるようになってもよい。
【００９６】
図６（ａ）に示す状態において、画面の遊技媒体数に関する項目には、読み込んだレシート及びカードの枚数を示す「読込」の項目と、読み込んだレシート及びカードから取得した玉数の総数を示す「総数」の項目と、総数から仮選択された賞品等に要する玉数を減算した玉数である「残数」の項目が表示される。また、賞品に関する項目には、仮選択された賞品の名称を示す「賞品名」と、賞品の交換玉数に個数を乗じた「登録数」と、仮選択された賞品の個数を示す「個数」の項目が表示されている。図６（ａ）に示した状態で、操作部６２に設けられ賞品ごとに割り当てられた専用キーを操作することにより、一般賞品であるタバコ１個を指定すると、図６（ｂ）に示すように、タバコ１個が交換対象賞品として仮選択された状態となり、タバコの交換玉数１００玉が持玉の残高から減算表示され、持玉の残高は１６５０玉となる。ここで、タバコは徴収対象の賞品ではないため、課税による徴収分は０玉である。
【００９７】
図６（ｂ）に示した状態で、操作部６２に設けられた「特殊」キー（高速交換キー）を操作することにより、特殊賞品との交換を選択すると、図６（ｃ）に示すように、持玉の残高１６５０玉の範囲内で交換玉数が最大となる、交換可能な特殊賞品の組合せが算定され、交換対象賞品として仮選択された状態となる。この結果、選択済のタバコ１個１００玉に加え、大賞品１個１２５０玉と中賞品１個２５０玉が仮選択される。また、大賞品は１２５玉が課税分として徴収され、中賞品は２５玉が課税分として徴収されるので、課税による徴収分は１５０玉となる。そして、残数が終了可能玉数以下となった状態で、「ＯＫ」キーが操作されると、仮選択された交換内容が確定し、交換対象玉数のデータからの減算処理が行われ、残数の取り込みが行われて交換処理が終了する。
【００９８】
図６では、各賞品に対してレート毎の交換玉数を対応付けて設定し、玉数ベースでの賞品交換を行なう場合を示したが、持玉をレートに基づいて換算し、金額ベースでの賞品交換を行なってもよい。
【００９９】
図７は、金額ベースで賞品交換を行なう場合の処理の具体例の説明図である。図７（ａ）は、店側表示部６１等に表示する画面例であり、４円レートの遊技種である玉１の持玉をカード等から読み取り、その玉数１７５０玉を７０００円相当と換算した状態を示している。
【０１００】
図７（ａ）に示した状態で、一般賞品であるタバコ１個を選択すると、図７（ｂ）に示すように、タバコの賞品価値４００円が残額から減算され、残額は６６００円となる。ここで、タバコは徴収対象の賞品ではないため、課税による徴収分は０円である。
【０１０１】
図７（ｂ）に示した状態で、特殊賞品との交換を選択すると、図７（ｃ）に示すように、残額６６００円で交換可能な特殊賞品の組合せが算定される。この結果、選択済のタバコ１個４００円に加え、大賞品１個５０００円と中賞品１個１０００円が選択される。また、大賞品は５００円が課税分として徴収され、中賞品は１００円が課税分として徴収されるので、課税による徴収分は６００円となる。
【０１０２】
次に、賞品管理装置６０の処理手順について説明する。図８は、賞品管理装置６０の処理手順を示すフローチャートである。賞品管理装置６０の賞品交換処理部６６ｂは、まず、カードやレシートから交換対象玉数を取得する（ステップＳ１０１）。カードから読み取る場合には持玉と貯玉が交換対象玉数である。レシートから読み取る場合には、獲得玉数が交換対象玉数である。
【０１０３】
賞品交換処理部６６ｂは、対象交換玉数をレートに応じて換算する（ステップＳ１０２）。その後、操作部６２の専用キーが操作されたならば（ステップＳ１０３；Ｙｅｓ）、賞品交換処理部６６ｂは、賞品の選択を受け付け（ステップＳ１０４）、選択された賞品に応じて換算値を減算する（ステップＳ１０５）。
【０１０４】
ステップＳ１０５の後、若しくは専用キーの操作がされていない場合（ステップＳ１０３；Ｎｏ）、賞品交換処理部６６ｂは、操作部６２の特殊キーが操作されたか否かを判定する（ステップＳ１０６）。
【０１０５】
特殊キーの操作を受け付けたならば（ステップＳ１０６；Ｙｅｓ）、賞品交換処理部６６ｂが特殊賞品の組合せを決定し、徴収分算出部６６ｄが徴収分を決定する（ステップＳ１０７）。そして特殊賞品分と徴収分の価値を換算値から減算する（ステップＳ１０８）。
【０１０６】
ステップＳ１０８の後、若しくは特殊キーの操作がされていない場合（ステップＳ１０６；Ｎｏ）、賞品交換処理部６６ｂは、操作部６２のＯＫキーの操作を受け付けたか否かを判定する（ステップＳ１０９）。
【０１０７】
ＯＫキーの操作を受け付けていなければ（ステップＳ１０９；Ｎｏ）、ステップＳ１０３に移行する。ＯＫキーの操作を受け付けたならば（ステップＳ１０９；Ｙｅｓ）、賞品交換処理部６６ｂは、一般賞品との交換、特殊賞品との交換、パチンコ税等の徴収分を示す明細を表示出力するとともに、この明細を印字したレシートを発行する（ステップＳ１１０）。その後、払出指示部６６ｅは、賞品払出装置に特殊賞品の払出を指示して（ステップＳ１１１）、処理を終了する。
【０１０８】
次に、徴収管理センタＦ１について説明する。図９は、徴収管理センタＦ１について説明する説明図である。図９に示すように、徴収管理センタＦ１は、遊技店及び交換所から情報を取得している。交換所では特殊賞品の買取を行なっており、遊技客は遊技店で獲得した特殊賞品を交換所にて譲渡することで特殊賞品を現金化することができる。
【０１０９】
特殊賞品には、当該特殊賞品を一意に識別可能な識別情報が付与されている。特殊賞品の識別情報は、例えば特殊賞品内部の非接触ＩＣタグに格納される。遊技店の賞品管理装置６０は、賞品払出装置７０に特殊賞品の払出指示を行なった場合に、賞品払出装置７０が払い出した特殊賞品の識別情報を取得する。
【０１１０】
交換所には、賞品読取装置２１０及び出金機２２０を設ける。賞品読取装置２１０は、特殊賞品を受け付けてその識別情報を読取り、その数を計数するとともに、該特殊賞品の価値を特定する。そして、特殊所品の買取が確定したならば、受け付けた特殊賞品を種類別に収納するととともに、出金機２２０に現金の払い出しを指示する。出金機２２０は、貨幣を金種別に収納しており、賞品読取装置２１０からの指示に基づいて貨幣を払い出す。
【０１１１】
また、賞品読取装置２１０は、特殊賞品の買取について、その履歴を保持する。賞品読取装置２１０は、個人特定媒体読取部を有しており、運転免許証や個人番号カード等から情報を取得する。取得した情報は、買取履歴に対応付けて管理される。かかる個人の情報の取得を特殊賞品の買取の条件としてもよい。また、個人の情報の取得が行われたときに、徴収管理センタＦ１に対して、当該センタが保持している遊技店での賞品受け渡しの履歴との照合を依頼し、対応する賞品が対応する個人の情報と対応しているか否か等の照合結果に基づいて買取処理を行うようにしてもよい。
【０１１２】
遊技店の賞品管理装置６０は、徴収対象賞品交換履歴データ６５ｃ、徴収対象賞品として払い出された特殊賞品の識別情報、当該特殊賞品を受け取った個人の情報を、定期的に又は必要に応じて徴収管理センタＦ１に送信する。
【０１１３】
交換所の賞品読取装置２１０は、特殊賞品の買取履歴、買い取った特殊賞品の識別情報、当該特殊賞品を受け渡した個人の情報を、定期的に又は必要に応じて徴収管理センタＦ１に送信する。
【０１１４】
徴収管理センタＦ１は、賞品管理装置６０及び賞品読取装置２１０から受信した情報に基づいて、パチンコ税の徴収状態や特殊賞品の流通状況を管理する。また、徴収管理センタＦ１は、賞品管理装置６０及び賞品読取装置２１０の動作を管理する。
【０１１５】
具体的には、徴収管理センタＦ１は、装置管理部Ｆ１ａ、徴収情報管理部Ｆ１ｂ及び特殊賞品管理部Ｆ１ｃを有する。装置管理部Ｆ１ａは、賞品管理装置６０から徴収対象賞品交換履歴データ６５ｃを受信したならば、当該データの自装置での処理が終了したことを条件に、当該データの賞品管理装置６０での消去を許可する。すなわち、賞品管理装置６０は、徴収管理センタＦ１での処理が完了するまでは、徴収対象賞品交換履歴データ６５ｃを消去できない。同様に、装置管理部Ｆ１ａは、賞品読取装置２１０から特殊賞品買取履歴を受信したならば、当該データの自装置での処理が終了したことを条件に、当該データの賞品読取装置２１０での消去を許可する。すなわち、賞品読取装置２１０は、徴収管理センタＦ１での処理が完了するまでは、特殊賞品買取履歴を消去できない。
【０１１６】
また、装置管理部Ｆ１ａは、賞品管理装置６０との通信が正常に行なわれているかを監視し、賞品管理装置６０との通信が正常であることを条件に賞品管理装置６０の動作を許可する。賞品管理装置６０は、徴収管理センタＦ１との通信に障害が発生したならば、予め設定された猶予期間に限り動作が可能となる。猶予期間における徴収対象賞品交換履歴データ６５ｃは、徴収管理センタＦ１との通信が復旧し、徴収管理センタＦ１が猶予期間における徴収対象賞品交換履歴データ６５ｃの処理を完了するまで消去することができない。
【０１１７】
同様に、装置管理部Ｆ１ａは、賞品読取装置２１０との通信が正常に行なわれているかを監視し、賞品読取装置２１０との通信が正常であることを条件に賞品読取装置２１０の動作を許可する。賞品読取装置２１０は、徴収管理センタＦ１との通信に障害が発生したならば、予め設定された猶予期間に限り動作が可能となる。猶予期間における特殊賞品買取履歴は、徴収管理センタＦ１との通信が復旧し、徴収管理センタＦ１が猶予期間における特殊賞品買取履歴の処理を完了するまで消去することができない。
【０１１８】
徴収情報管理部Ｆ１ｂは、パチンコ税の徴収状態を管理する処理部である。徴収情報管理部Ｆ１ｂは、遊技店から受信した徴収対象賞品交換履歴データ６５ｃを所定の記憶部に格納する。徴収情報管理部Ｆ１ｂは、複数の遊技店から受信した徴収対象賞品交換履歴データ６５ｃを適宜集計することができる。例えば、遊技店毎、系列店毎、値域毎、規模毎に徴収の状況を集計可能である。かかる集計結果は、遊技店から閲覧できるようにしてもよい。
【０１１９】
特殊賞品管理部Ｆ１ｃは、特殊賞品の流通状況を管理する処理部である。特殊賞品管理部Ｆ１ｃは、徴収対象賞品交換履歴データ６５ｃや特殊賞品買取履歴、並びにこれらに関連付けられた特殊賞品の識別情報、個人情報に基づいて、特殊賞品の流通状態を管理する。かかる管理を行なうことにより、例えば遊技客が受け取った特殊賞品を譲渡せずに保持しているならば、当該特殊賞品を識別情報により特定するとともに、当該遊技客を特定することが可能となる。
【０１２０】
次に、交換所に設けられる賞品読取装置２１０について説明する。図１０は、図９に示した賞品読取装置２１０の機能構成を示すブロック図である。同図に示すように、この賞品読取装置２１０は、表示部２１１、操作部２１２、個人特定情報読取部２１３、特殊賞品受付部２１４ａ、特殊賞品収納部２１４ｂ、記憶部２１５、制御部２１６、通信部２１７a及び出金機接続部２１７ｂを有する。
【０１２１】
表示部２１１は、液晶パネルやディスプレイ装置等である。操作部２１２は、キーボードやマウス等である。個人特定媒体読取部２１３は、運転免許証や個人番号カード等から情報を読み出すリーダである。
【０１２２】
特殊賞品受付部２１４ａは、特殊賞品を受け付けて識別情報の読み出しと種別の判別を行なう処理部である。特殊賞品収納部２１４ｂは、特殊賞品を種別毎に収納する収納部である。
【０１２３】
通信部２１７ａは、徴収管理センタＦ１との通信を行なうインタフェース部であり、出金機接続部２１７ｂは、出金機２２０との通信を行なうインタフェース部である。記憶部２１５は、ハードディスク装置や不揮発性メモリ等の記憶デバイスであり、特殊賞品買取履歴データ２１５ａを記憶する。特殊賞品買取履歴データ２１５ａは、特殊賞品の買取の履歴と、買い取った特殊賞品の識別情報と、当該特殊賞品を受け渡した個人の情報とを関連付けたデータである。
【０１２４】
制御部２１６は、賞品読取装置２１０を全体制御する制御部であり、特殊賞品管理部２１６ａ、買取処理部２１６ｂ、動作管理部２１６ｃを有する。特殊賞品管理部２１６ａは、特殊賞品の収納状況を管理する処理部である。
【０１２５】
買取処理部２１６ｂは、特殊賞品受付部２１４ａにより判別された種別に基づいて、受け付けた特殊賞品の買取価格を算定し、表示部２１１に表示制御する。その後、買取の確定を示す操作を操作部２１２により受け付けたならば、特殊賞品を特殊賞品収納部２１４ｂに収納させるととともに、出金機２２０に現金の払い出しを指示する。
【０１２６】
動作管理部２１６ｃは、特殊賞品の買取が買取処理部２１６ｂにより行なわれた場合に、特殊賞品買取履歴データ２１５ａを更新する。動作管理部２１６ｃは、特殊賞品買取履歴データ２１５ａを徴収管理センタＦ１に送信することができる。この特殊賞品買取履歴データ２１５ａを徴収管理センタＦ１が受信し、徴収管理センタＦ１での処理が完了するまでは、特殊賞品買取履歴データ２１５ａは消去できない。
【０１２７】
また、動作管理部２１６ｃは、徴収管理センタＦ１との通信が正常に行なわれているかを監視し、徴収管理センタＦ１との通信が正常であることを条件に賞品読取装置２１０の動作を許可する。徴収管理センタＦ１との通信に障害が発生したならば、動作管理部２１６ｃは、予め設定した猶予期間に限り動作を許可し、その後、賞品読取装置２１０の動作を禁止する。猶予期間における特殊賞品買取履歴データ２１５ａは、徴収管理センタＦ１との通信が復旧し、徴収管理センタＦ１が猶予期間における特殊賞品買取履歴データ２１５ａの処理を完了するまで消去することができない。
【０１２８】
上述してきたように、実施例１に係る遊技システムでは、賞品管理装置６０は、一定の価値に対応付けられた特殊賞品と特殊賞品以外の一般賞品とを区別して管理し、遊技客が遊技にて獲得した遊技玉数を特殊賞品や一般賞品と交換可能である。そして、特殊賞品との賞品交換に対して所定の価値を差し引くとともに、賞品交換の明細を表示出力及びレシート発行する。このため、遊技客に提供する賞品に関して賞品の価値を適切に保ちつつ、遊技店の運用を円滑に行うことができる。
【実施例２】
【０１２９】
図１１は、実施例２に係る賞品交換についての説明図である。実施例２では、賞品カウンタには、賞品管理装置１６０及び賞品払出装置７０が設置されている。賞品管理装置１６０は、カードＤ１から持玉を読み取ると、持玉の範囲内で賞品交換を行なう。カードＤ１に関連付けられた持玉は１７５０玉であり、レートは４円であるので、賞品管理装置１６０は持玉の価値を７０００円相当と換算し、７０００円の範囲内で賞品交換を行なうことになる。
【０１３０】
賞品には、特殊賞品と一般賞品とがあり、賞品管理装置１６０は、特殊賞品と一般賞品とを区別して管理している。特殊賞品は、一定の価値に対応付けられており、譲渡可能であるが、この譲渡時に税金等が徴収される場合がある。例えば、遊技店で特殊賞品を獲得し、その後、遊技客が特殊賞品を交換所で売却する場合に、交換所が所定の税金を差し引いた金額で買取を行なう場合がある。
【０１３１】
そこで、賞品管理装置１６０は、特殊賞品との賞品交換にあたって、該特殊賞品を譲渡した場合に生ずる手数料や税金を算定し、遊技客に報知することとしている。
【０１３２】
具体的には、図１１に示した例では、７０００円相当の持玉のうち、６６００円分を特殊賞品との交換に用い、残りの４００円相当を菓子などの一般賞品との交換に用いている。この特殊賞品を交換所で譲渡するならば、１０％がパチンコ税として徴収され、その徴収額は６００円となる。
【０１３３】
賞品管理装置１６０は、特殊賞品について賞品払出装置７０に払出を指示することで、特殊賞品の払い出しを行なわせる。このため、遊技客は、６６００円相当の特殊賞品と４００円分の一般賞品とを賞品カウンタで受け取ることができる。
【０１３４】
さらに、賞品管理装置１６０は、一般賞品との交換分、特殊賞品との交換分、特殊賞品の価値に含まれるパチンコ税分を示す明細を表示出力するとともに、この明細を印字したレシートを発行する。
【０１３５】
図１２は、図１１に示した賞品管理装置１６０の機能構成を示すブロック図である。賞品管理装置１６０は、賞品交換処理部１６６ｂの動作が図４に示した賞品交換処理部６６ｂと異なる。その他の構成及び動作は、図４に示した賞品管理装置６０と同様であるので、同一の構成要素には同一の符号を付して説明を省略する。
【０１３６】
賞品交換処理部１６６ｂは、特殊賞品などの所定の賞品との賞品交換を行なう場合に、徴収分算出部６６ｄにより徴収分を算出させるが、徴収分は差し引かずに賞品交換を行なう。すなわち、賞品の価値は、徴収分を含んだ内税形式の価値となる。
【０１３７】
賞品交換処理部１６６ｂは、一般賞品との交換、特殊賞品との交換、パチンコ税等の徴収について、その明細を表示出力するとともに、明細を印字したレシートを発行する。明細の表示出力は、店側表示部６１及び客側表示部６４を用いて行なうことができる。また、明細の印字は、レシート発行部６３により行なうことができる。
【０１３８】
図１３は、実施例２に係る賞品読取装置２１０ａの機能構成を示すブロック図である。賞品読取装置２１０ａは、記憶部２１５が徴収設定データ２１５ｂをさらに格納し、制御部２１６が徴収処理部２１６ｄをさらに備える点が図１０に示した賞品読取装置２１０と異なる。その他の構成及び動作は、図１０に示した賞品読取装置２１０と同様であるので、同一の構成要素には同一の符号を付して説明を省略する。
【０１３９】
徴収設定データ２１５ｂは、特殊賞品の買取時に手数料や税金などを差し引いて徴収する場合に、徴収する金額についての設定を示すデータである。徴収処理部２１６ｄは、特殊賞品受付部２１４ａにより判別された特殊賞品の種類及び数と、徴収設定データ２１５ｂとを用いて徴収額を算定し、買取処理部２１６ｂに通知する。
【０１４０】
買取処理部２１６ｂは、徴収処理部２１６ｄから通知された徴収額を特殊賞品の価値から割り引いて買取価格を算定し、表示部２１１に表示制御する。その後、買取の確定を示す操作を操作部２１２により受け付けたならば、特殊賞品を特殊賞品収納部２１４ｂに収納させるととともに、出金機２２０に現金の払い出しを指示することになる。また、賞品読取装置２１０ａは、図示しない外部装置に向けて、買取履歴を出力する機能を備える。さらに、賞品読取装置２１０ａは、買取履歴の集計結果に基づいて、交換所が支払うパチンコ税の算定や管理を行なう。
【０１４１】
上述してきたように、実施例２に係る遊技システムでは、賞品管理装置１６０は、一定の価値に対応付けられた特殊賞品と特殊賞品以外の一般賞品とを区別して管理し、遊技客が遊技にて獲得した遊技玉数を特殊賞品や一般賞品と交換可能である。そして、特殊賞品との賞品交換に対しては、該賞品の譲渡時に生じる税金等を算定し、税金等の情報を含む賞品交換の明細を表示出力及びレシート発行する。このため、遊技客に提供する賞品に関して賞品の価値を適切に保ちつつ、遊技店の運用を円滑に行うことができる。
【０１４２】
なお、上述の実施例では、持玉をカード管理装置４０が管理し、貯玉を会員管理装置５０が管理する構成を例に説明を行なったが、持玉及び貯玉を統合して管理する装置を設ける構成としてもよい。
【０１４３】
なお、上述の実施例では、賞品の交換時または譲渡時に課税が行われる例を一実施例として示しているが、課税を行う主体の公的機関は特に限定されず国であってもよいし地方自治体であってもよく、さらに課税形態が間接税であっても直接税であってもよい。さらに、税率に関しても賞品ごとに異なったり、納税者によって異なったりしても良く、課税原則に反していない限り特に限定されない。また、価値の差異が生じる原因としては、課税によるものには特に限定されず、任意に定められる手数料や法定の手数料、マージン等であってもよい。
【０１４４】
また、上述の実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。
【０１４５】
また、上述の実施例では、パチンコ遊技機を想定し、遊技により獲得した遊技玉を賞品交換する場合を例に説明を行なったが、スロットマシンによる遊技にて獲得したメダルを賞品交換する場合にも同様に適用可能である。
【０１４６】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１４７】
以上のように、本発明に係る賞品交換システム、賞品交換装置及び賞品交換方法は、遊技客に提供する賞品に関して賞品の価値を適切に保ちつつ、遊技店の運用を円滑に行うことに適している。
【符号の説明】
【０１４８】
１０  台間カード処理機
２０  遊技機
３０  島コントローラ
４０  カード管理装置
５０  会員管理装置
６０、１６０  賞品管理装置
６１  店側表示部
６２、２１２  操作部
６３  レシート発行部
６４  客側表示部
６５、２１５  記憶部
６５ａ  賞品マスタ
６５ｂ、２１５ｂ  徴収設定データ
６５ｃ  徴収対象賞品交換履歴データ
６６、２１６  制御部
６６ａ  賞品管理部
６６ｂ、１６６ｂ  賞品交換処理部
６６ｃ、２１６ｃ  動作管理部
６６ｄ  徴収分算出部
６６ｅ  払出指示部
６７ａ  カードリーダ
６７ｂ  店員タグリーダ
６７ｃ  携帯端末リーダ
６８ａ、２１７ａ  通信部
６８ｂ  賞品払出装置接続部
７０  賞品払出装置
８０  精算機
２１０、２１０ａ  賞品読取装置
２１１  表示部
２１３  個人特定情報読取部
２１４ａ  特殊賞品受付部
２１４ｂ  特殊賞品収納部
２１５ａ  特殊賞品買取履歴データ
２１６ａ  特殊賞品管理部
２１６ｂ  買取処理部
２１６ｄ  徴収処理部
２１７ｂ  出金機接続部
２２０  出金機
Ｆ１  徴収管理センタ
Ｆ１ａ  装置管理部
Ｆ１ｂ  徴収情報管理部
Ｆ１ｃ  特殊賞品管理部
【図１】
2016198391.tif 000003
【図２】
2016198391.tif 000004
【図３】
2016198391.tif 000005
【図４】
2016198391.tif 000006
【図５】
2016198391.tif 000007
【図６】
2016198391.tif 000008
【図７】
2016198391.tif 000009
【図８】
2016198391.tif 000010
【図９】
2016198391.tif 000011
【図１０】
2016198391.tif 000012
【図１１】
2016198391.tif 000013
【図１２】
2016198391.tif 000014
【図１３】
2016198391.tif 000015